(57)【要約】【課題】皮脂を吸収しても、吸収した部分があまり目立たないようにすること。また、あぶらとり紙を使用しても、あぶらとり紙を使用しているとは周囲から思われにくくすること。【解決手段】顔の皮脂を吸収するためのあぶらとり紙としてのベースシート２と、このベースシート２の一面に熱加圧にてコーティングされている樹脂コート層３と、この樹脂コート層３の表面に任意の色彩にて印刷される多色印刷層４とであぶらとり紙本体１を構成する。【選択図】図１
2008048793.tif 000002
【特許請求の範囲】
【請求項１】
顔の皮脂を吸収する紙材からなるベースシート（２）と、このベースシート（２）の一面にコーティングされている樹脂コート層（３）と、この樹脂コート層（３）の表面に施した多色印刷層（４）とで構成していることを特徴とするあぶらとり紙。
【請求項２】
顔の皮脂を吸収する紙材からなるベースシート（２）と、このベースシート（２）の一面に施した多色印刷層（４）とで構成していることを特徴とするあぶらとり紙。
【請求項３】
前記多色印刷層（４）は、ロゴマークあるいは任意の絵柄を施していることを特徴とする請求項１または請求項２に記載のあぶらとり紙。
【発明の詳細な説明】
【技術分野】
【０００１】
本発明は、顔の皮脂を吸収するのに用いるあぶらとり紙に関するものである。
【背景技術】
【０００２】
最近、市場において顔の皮脂を吸収するのに用いるあぶらとり紙が多数提供されており、また、あぶらとり紙に関する特許出願も多くされている。本出願人も以前に特許出願を行なっており、例えば、下記に示す特許文献１である。
【０００３】
【特許文献１】特開平８−１５８２９３号公報（特許第２７１１９９７号）
【０００４】
この特許文献１に記載されている技術により、昔からの金箔打ち紙と同等の平滑性、皮脂の吸収力を備えたあぶらとり紙を提供できるようになったものであり、しかも、金箔打ち紙と比べて非常に低コストのあぶらとり紙を提供することができるようになった。
【０００５】
本出願人のあぶらとり紙や、他の会社のあぶらとり紙による市場への参入により、多くの女性があぶらとり紙を使用するようになり、大変なブームを起こしたのは周知の通りである。そして、普通は化粧室に入って他人に見られないようにあぶらとり紙を使用するのがエチケットであるものの、多くの女性、特に女子大生、女子高生が電車やバス内、あるいは飲食店内で使用しているのが現状である。
【０００６】
ブームの当初は、あぶらとり紙を使用して顔の皮脂を取る行ないを、むしろ他人に見せるようにしてブームに先んじることを自慢しているようであったのであるが、長年あぶらとり紙が使用されてくると、以下に示すような問題が発生してきた。
すなわち、あぶらとり紙により顔の皮脂を綺麗に取ることができるものの、あぶらとり紙に皮脂が吸収されると、あぶらとり紙に吸収された皮脂（あぶら分）がベットリとつき、その皮脂が明らかにハッキリと見えるために、周囲の他人に不快感を与えるという問題がある。
【０００７】
また、あぶらとり紙に皮脂がベットリと吸着するということは、顔が脂ぎっているということになると本人が思ってしまい、本人自身がベットリと吸着した皮脂を他人に見られたくないという心境にもなる。
【０００８】
さらには、現在、市場に提供されているあぶらとり紙の色は、全部が全部と言っていいくらい、白色やベージュ色であり、これらの色のあぶらとり紙を衆目の中で用いると、周囲にあぶらとり紙で皮脂を取っていると見られてしまうことにもなる。
ブームの当初、あぶらとり紙を使用する人が少ないときはそれで良かったのであるが、現在では大半の人があぶらとり紙を使用するので、出来れば、周囲に目立つことがないようにあぶらとり紙を使用したいという要求が出てきているのが現状である。
【発明の開示】
【発明が解決しようとする課題】
【０００９】
本発明は上述の問題点に鑑みて提供したものであって、少なくとも以下の目的を持ったあぶらとり紙を提供するものである。
（１）皮脂を吸収しても、吸収した部分があまり目立たないようにすること。
（２）あぶらとり紙を使用しても、あぶらとり紙を使用しているとは周囲から思われにくくすること。
【課題を解決するための手段】
【００１０】
そこで、本発明の請求項１に記載のあぶらとり紙では、顔の皮脂を吸収する紙材からなるベースシート２と、このベースシート２の一面にコーティングされている樹脂コート層３と、この樹脂コート層３の表面に施した多色印刷層４とで構成していることを特徴としている。
【００１１】
請求項２に記載のあぶらとり紙では、顔の皮脂を吸収する紙材からなるベースシート２と、このベースシート２の一面に施した多色印刷層４とで構成していることを特徴としている。
【００１２】
請求項３に記載のあぶらとり紙では、前記多色印刷層４は、ロゴマークあるいは任意の絵柄を施していることを特徴としている。
【発明の効果】
【００１３】
本発明の請求項１に記載のあぶらとり紙によれば、ベースシート２に吸収された皮脂は、樹脂コート層３の存在により多色印刷層４へは滲み出るのを防止でき、同時に皮脂がベットリとベースシート２に吸収されても、多色印刷層４により表面にはほとんど分からないものであり、あぶらとり紙本体１にて皮脂を吸収しても、吸収した部分があまり目立たないものである。
そのため、あぶらとり紙本体１にて皮脂を吸収しても、多色印刷層４の表面には皮脂が見えることはなく、皮脂をあぶらとり紙本体１にて取っても周囲の人には皮脂が見えず、人に不快感を与えることもない。また、本人も周囲の人に対して気にせずにあぶらとり紙本体１を使うことができる。
また、多色印刷層４を手で直に持ってあぶらとり紙本体１を使用するので、多色印刷層４に使用しているインクが体熱で少々溶けたとしても、樹脂コート層３によりインクがベースシート２へ滲み出るのを防止することができる。
したがって、多色印刷層４のインクは顔の皮膚には触れないので、肌にインクによる悪影響を与えることもない。
【００１４】
請求項２に記載のあぶらとり紙によれば、あぶらとり紙本体１にて皮脂を吸収しても、多色印刷層４により該多色印刷層４の表面には皮脂は見えにくいものであり、そのため、皮脂をあぶらとり紙本体１にて取っても周囲の人には皮脂が見えず、人に不快感を与えることもない。また、本人も周囲の人に対して気にせずにあぶらとり紙本体１を使うことができる。
【００１５】
請求項３に記載のあぶらとり紙によれば、あぶらとり紙本体１の多色印刷層４のハンカチに使用するような色彩を施したり、多色による絵柄を施すことで、あぶらとり紙本体１を用いて皮脂を取るようなしぐさをしても、他人からはあたかもハンカチで汗を拭いたり、化粧を押さえたりしているような、なにげもないしぐさに映り、周囲の人に不快感を与えることもなく、また、あぶらとり紙を用いて皮脂を取っているというしぐさを与えることもない。また、多色印刷層４によりあぶらとり紙本体１の意匠的効果も発揮させることができる。
【発明を実施するための最良の形態】
【００１６】
以下、本発明の実施の形態を図面を参照して詳細に説明する。図１は本発明にかかるあぶらとり紙本体１の要部拡大断面図を示しており、このあぶらとり紙本体１は、顔の皮脂を吸収するためのあぶらとり紙としてのベースシート２と、このベースシート２の一面に全面にわたって熱加圧にてコーティングされている樹脂コート層３と、この樹脂コート層３の表面に全面にわたって任意の色彩にて印刷される多色印刷層４とで構成されている。
【００１７】
上記あぶらとり紙本体１のベースシート２の材料としては、顔の皮脂を吸収する材質のものであればどのような紙材でも良い。このベースシート２の一面にコーティングされる透明、あるいは半透明の樹脂コート層３は、前記ベースシート２にて吸収した皮脂の透過を防ぐものであれば良く、例えば、塩化ビニルやアクリルなどの熱可塑性樹脂を用いている。
したがって、この樹脂コート層３によりベースシート２にて吸収した皮脂を表面に滲み出すのを防ぐことができるようになっている。
【００１８】
前記多色印刷層４は、前記樹脂コート層３の表面に任意の色で印刷を施したものであり、例えば、ハンカチに使用されるような赤色、青色、緑色、橙色、紫色などの１色で印刷したり、これらの色を２色〜７色程度のカラー印刷を施すことで、多色印刷層４を形成している。
ここで、この多色印刷層４を形成すべくあぶらとり紙本体１の樹脂コート層３への印刷方法は、グラビア印刷、オフセット印刷、シルク印刷、インクジェット印刷など、どのような印刷方式でも良い。
【００１９】
図２はあぶらとり紙本体１の平面図を示しており、多色印刷層４にはベース色として上述の色彩の上に「彩響舎」のロゴマークを多色印刷した例を示している。ベース色と「彩響舎」の色彩は任意の色で良く、ロゴマークとして目立たせる場合には、互いに目立つ色を用いることになる。
なお、ロゴマークの部分のみに色彩を施した多色印刷層４として構成するようにしても良い。
【００２０】
図２に示す例では、多色印刷層４のベース色を単色とし、そのベース色に該ベース色とは異なる色でロゴマークを印刷した場合であるが、多色印刷層４を複数の色でどのような絵柄で構成するようにしても良い。
図３はかかる一例を示すものであり、あぶらとり紙本体１の多色印刷層４の全面にわたって花模様の絵柄を施したものである。
【００２１】
本発明のあぶらとり紙本体１を使用する場合には、ベースシート２の面を顔の皮膚に当てて使用するものであり、ベースシート２にて皮脂を吸収することができる。ベースシート２に吸収された皮脂は、樹脂コート層３の存在により多色印刷層４へは滲み出るのを防止でき、同時に皮脂がベットリとベースシート２に吸収されても、多色印刷層４により表面にはほとんど分からないものであり、あぶらとり紙本体１にて皮脂を吸収しても、吸収した部分があまり目立たないものである。
そのため、あぶらとり紙本体１にて皮脂を吸収しても、多色印刷層４の表面には皮脂が見えることはなく、皮脂をあぶらとり紙本体１にて取っても周囲の人には皮脂が見えず、人に不快感を与えることもない。また、本人も周囲の人に対して気にせずにあぶらとり紙本体１を使うことができる。
【００２２】
また、多色印刷層４を手で直に持ってあぶらとり紙本体１を使用するので、多色印刷層４に使用しているインクが体熱で少々溶けたとしても、樹脂コート層３によりインクがベースシート２へ滲み出るのを防止することができる。
したがって、多色印刷層４のインクは顔の皮膚には触れないので、肌にインクによる悪影響を与えることもない。
【００２３】
さらには、あぶらとり紙本体１の多色印刷層４のハンカチに使用するような色彩を施したり、多色による絵柄を施すことで、あぶらとり紙本体１を用いて皮脂を取るようなしぐさをしても、他人からはあたかもハンカチで汗を拭いたり、化粧を押さえたりしているような、なにげもないしぐさに映り、周囲の人に不快感を与えることもなく、また、あぶらとり紙を用いて皮脂を取っているというしぐさを与えることもない。
また、多色印刷層４によりあぶらとり紙本体１の意匠的効果も発揮させることができる。
【００２４】
（第２の実施の形態）
第２の実施形態を図４に示す。本実施形態では先の実施形態と比べて樹脂コート層３を除いたものであり、ベースシート２と、このベースシート２に一面に施した多色印刷層４とであぶらとり紙本体１を構成している。
【００２５】
この実施形態では、樹脂コート層３を用いていないので、ベースシート２で吸収した皮脂が多色印刷層４へ滲み出たり、多色印刷層４のインクがベースシート２へ滲み出る可能性がある。
しかし、短時間での使用であれば、ベースシート２から皮脂が多色印刷層４へ滲み出たり、また、多色印刷層４のインクがベースシート２へ滲み出ることはない。
【００２６】
したがって、あぶらとり紙本体１にて皮脂を吸収しても、多色印刷層４により該多色印刷層４の表面には皮脂は見えにくいものであり、そのため、皮脂をあぶらとり紙本体１にて取っても周囲の人には皮脂が見えず、人に不快感を与えることもない。また、本人も周囲の人に対して気にせずにあぶらとり紙本体１を使うことができる。
また、あぶらとり紙本体１の多色印刷層４のハンカチに使用するような色彩を施したり、多色による絵柄を施すことで、あぶらとり紙本体１を用いて皮脂を取るようなしぐさをしても、他人からはあたかもハンカチで汗を拭いたり、化粧を押さえたりしているような、なにげもないしぐさに映り、周囲の人に不快感を与えることもなく、また、あぶらとり紙を用いて皮脂を取っているというしぐさを与えることもない。さらには、多色印刷層４によりあぶらとり紙本体１の意匠的効果も発揮させることができる。
【図面の簡単な説明】
【００２７】
【図１】本発明の実施の形態におけるあぶらとり紙本体の要部拡大断面図である。
【図２】本発明の実施の形態におけるロゴマークを印刷した場合のあぶらとり紙本体の平面図である。
【図３】本発明の実施の形態における絵柄を多色印刷した場合のあぶらとり紙本体の平面図である。
【図４】本発明の第２の実施の形態のあぶらとり紙本体の要部拡大断面図である。
【符号の説明】
【００２８】
１  あぶらとり紙本体
２  ベースシート
３  樹脂コート層
４  多色印刷層
【図１】
2008048793.tif 000003
【図２】
2008048793.tif 000004
【図３】
2008048793.tif 000005
【図４】
2008048793.tif 000006